(57)【特許請求の範囲】
【請求項１】
光源と、この光源の周りを囲う反射板を備えた照明器具において、前記反射板の透光開口の近傍の内面に、前記透光開口の開口面と略平行な面を有する突出部を設け、この突出部にセンサ検知部を前記反射板の照射軸方向に略平行に前記透光開口の外方に向けて設け、前記センサ検知部からの検知信号を入力する制御部の制御情報を操作する調整手段を前記反射板のグレアカット角より奥の前記反射板の内面に配置した照明器具。
【請求項２】
前記反射板が樹脂製であり、前記センサ検知部の制御部を取付ける請求項１記載の照明器具。
【発明の詳細な説明】
【０００１】
【発明の属する技術分野】
この発明は、センサの付いた照明器具に関するものである。
【０００２】
【従来の技術】
従来のこの種の照明器具（例えば特開２０００−１８８０１２）は図１３に示すように、器具の透光開口部１００とは、別の位置にセンサ検知部１０１がついており、センサ検知部１０１なしの一般の器具と、全く別意匠および別構成の器具となっている。また、点灯保持時間等の制御情報を操作する調整つまみ（スイッチ）は器具本体１０２および本体カバー（枠）１０３によって形成される密閉空間内に配置している。
【０００３】
【発明が解決しようとする課題】
しかし、この照明器具は、一般の照明器具と比べて大型化し一般の照明器具と同じイメージで使用できず、またセンサ検知部が目立ちやすいという問題があった。
【０００４】
したがって、この発明の目的は、コンパクトでセンサ検知部が目立たず、一般器具と同じイメージで使用することができる照明器具を提供することである。
【０００５】
【課題を解決するための手段】
請求項１記載の照明器具は、光源と、この光源の周りを囲う反射板を備えた照明器具において、前記反射板の透光開口の近傍の内面に、前記透光開口の開口面と略平行な面を有する突出部を設け、この突出部にセンサ検知部を前記反射板の照射軸方向に略平行に前記透光開口の外方に向けて設け、前記センサ検知部からの検知信号を入力する制御部の制御情報を操作する調整手段を前記反射板のグレアカット角より奥の前記反射板の内面に配置したものである。
【０００６】
請求項１記載の照明器具によれば、センサ検知部がコンパクトにかつ目立たなく構成でき、一般器具たとえばダウンライトと同じイメージで使用することができ、同寸法の埋め込み穴で埋設することができ、かつ同じ施工の手間で設置可能となる。
また、設置後に調整手段を操作して調整が容易にでき、蓋などを付けることなく施工時に従来器具と同様の手間で施工可能となり、また反射板に制御部を取付けることができるとともに制御部に調整手段を設けることができる。
さらに、スイッチ位置をグレアカット角よりも奥にすることにより、取付状態で通常の目線では気にならないが、器具を間近でみると調整手段を見ることにより容易に操作方法が認識できる。
【００１３】
請求項２記載の照明器具は、請求項１において、前記反射板が樹脂製であり、前記センサ検知部の制御部を取付けるものである。
【００１４】
請求項２記載の照明器具によれば、請求項１と同様な効果のほか、センサ検知部と制御部を接続するリード線の長さを短くでき、ノイズの低減や信号の減衰の低減ができ、部品点数の削減および省資源となる。また別部品が不要なため組み立てが容易になる。
【００１５】
【発明の実施の形態】
この発明の第１の実施の形態を図１および図２により説明する。すなわち、この照明器具はダウンライトであり、光源１と、この光源１の周りを囲う反射鏡２、器具本体３を有する。
【００１６】
器具本体３は、一般ダウンライトと同様に略筒状であって天井の埋込穴の縁部に係止する枠部９を下端部に有し、上端部にランプソケット１２を設け、ランプソケット１２の上側に横方向に延出する天板４を設け、天板４に端子台１０と安定器１１を設けている。また器具本体３を形成する枠部９の内部の略釣り鐘形および略円筒形の反射板を設けている。８は天井取付ばねまたは金具である。
【００１７】
光源１は、ランプソケット１２に装着されるが、実施の形態では片口金蛍光ランプである。
【００１８】
反射板２は、内面に鏡面反射面を形成し、その下端の透光開口７の近傍の内面に突出部５を設け、この突出部５にセンサ検知部６を透光開口７の外方に向けて設けている。突出部５は透光開口７の開口面と略平行な面を有し、センサ検知部６は反射板２の照射軸方向に略平行に向いている。センサ検知部６は熱線変動検知センサなどの手段を適用している。センサ検知部６は枠面より奥に配置することが可能である。
【００１９】
センサ検知部６の検知信号を入力するブロック構成のセンサ制御部１３は安定器１１などより小さく図１に示すように反射板２の側面に配置している。一般に蛍光灯器具などでは安定器１１が必要であり、それを埋込穴投影面より片側を外方に突出させる構造のものがあるが、このものでは取付ばね８などは安定器１１の下方へ設けることが器具のバランス上有効で、センサ検知部６は取付ばね８の垂直方向や取付ばね８以外の箇所に付けることが望ましく、実施の形態では一対の取付ばね８に直交する方向の反射面の位置としている。
【００２０】
第１の実施の形態によれば、センサ検知部６がコンパクトにかつ目立たなく構成でき、一般器具例えばダウンライトと同じイメージで使用することができ、同寸法の埋込穴で埋設することができ、かつ同じ施工の手間で設置可能となる。
【００２１】
この発明の第２の実施の形態を図３により説明する。すなわち、この照明器具は、第１の実施の形態において、センサ制御部１３のブロックを安定器１１と同じく天板４に取付けている。
【００２２】
これにより、センサ制御部１３を他の器具と共用するのが容易になる。また器具専用の部材も少なくなり、センサ検知部６とセンサ制御部１３はリード線１４によって接続し、反射板２の外面に沿って引き回す。反射板２が成形品などであるときはリード線１４用の溝を設けてもよい。
【００２３】
この発明の第３の実施の形態を図４により説明する。すなわち、第２の実施の形態において、センサ制御部１３と安定器１１を一体にしている。これにより組み立て数が減り、使用材料を減らすことができる。
【００２４】
この発明の第４の実施の形態を図５（ａ）により説明する。すなわち、この照明器具はシーリングライトであり、センサ検知部６を設ける突出部５を内面に設けることにより、反射板２の外形を略円筒形に形成できる。反射板２の内側に配置されるランプソケットおよびランプは省略している。
【００２５】
この実施の形態によれば、反射板２の外形を略円筒形にできるので、外観本体（セード）２′の下方のふちを太くする必要がない。
【００２６】
また図５（ｂ）に示すように、外観本体２′の下方の端縁部２ａを薄くすなわち印象を与えない薄さにし、センサ検知部６および突出部５を端縁部２ａと同面に突出させることも有効である。
【００２７】
この発明の第５の実施の形態を図６（ａ）により説明する。すなわち、この照明器具は、チェーンやパイプの吊下式器具すなわちペンダントであり、器具本体３、チエーンまたはパイプ１６、フランジ１７、円錐形反射板２を有する。センサ検知部６は反射板２の内面に設け、センサ制御部１３および安定器１１を器具本体３内に設けている。
【００２８】
図６（ｂ）は白熱ランプの場合であり、センサ制御部１３のブロックを反射板２の外側に設けて、意匠上のボリューム感を抑えることができる。またセンサ制御部１３をセンサ検知部６からあまり離すことはノイズや信号の減衰から好ましくないので、チェーンやパイプ１６の長さにもよるが、センサ制御部１３をフランジ部１７に置くよりも好ましい。
【００２９】
この発明の第６の実施の形態を図７および図８により説明する。すなわち、この照明器具は、制御情報を操作する点灯保持時間等の調整手段を反射板２の内側面に配置している。センサ付き照明器具では制御情報を調整する調整手段として例えば調整スイッチ１９を設けその調整スイッチ１９のつまみで操作できるようにするのが好ましい。この実施の形態では調整スイッチ１９のつまみを反射板２の内面のセンサ検知部６の上側に設けている。従来は枠や蓋を設けて調整手段が設置状態では見えないように配置していたが、ダウンライトなどの下面開放の器具でも、一般取付け状態の通常使用での視野では見えにくい角度すなわちグレアカット角ないし遮光角よりも奥くに配置している。これにより器具から離れるとみえにくくしかも操作し易い場所であり、意匠を大きく損なうことはない。また近づくと操作しやすいだけでなく、容易に操作方法が認知でき、別部品が不要なため省資源やコストダウンにもなる。２０はセンサ入切スイッチ、２１はリード線、２２は器具本体３の枠である。
【００３０】
この発明の第７の実施の形態を図９から図１２により説明する。すなわち、この照明器具は、第６の実施の形態において、反射板２が樹脂成形品であり、センサ検知部６のセンサ制御部１３を取付けている。
【００３１】
図９において、樹脂成形品の反射板２は略円錐形のラッパ状であり、上方ほど径が小さくなるのを利用して、同じ天井埋込穴に対してセンサ制御部１３を反射板２に沿わせるように配置することができる。またこのように沿わせることにより反射板２にセンサ制御部１３を取付ける部分を設けるのに大幅に型の大きさを変えたりする必要がない。この反射板２は下端部の外側に枠３１を一体形成し、上端部に相対向する一対の取付片３０を形成している。３２は取付片３０に形成した孔である。取付片３０の一方に連なるように反射板２の上端部から下端部にかけて内面側に突出し外面が凹む突条部３３を形成し、反射板２の外面で突条部３３の両側に沿って一対の垂直壁４１が形成され、垂直壁４１の前縁部の内側に段部４２を形成している。突条部３３の下端部の枠３１に連設する部分にセンサ検知部用開口３４を形成し、その上側にセンサ支持部３５を設け、さらにその上側にねじ孔を形成した突部３６を突設し、さらにその上側に調整つまみ用開口３７とセンサ入切用開口（図示せず）を形成している。器具本体３は取付片３０に取付けられ、ランプソケット１２は器具本体３に取付けられ、ランプソケット１２に片口金ランプ４５が装着されている。
【００３２】
部品に展開した図１０に示すように、センサ制御部１３は、制御回路部品を実装したプリント基板２５と、プリント基板２５の表面側に配置される横断面Ｕ字形の絶縁かつ難燃シート２７と、プリント基板２５を裏面側から被覆する保護ケース（または絶縁シート）３８と、保護ケース３８の外側に位置する近接導体を兼ねたセンサ部取付板３９を有する。プリント基板２５は上端側より点灯装置に接続するリード線２６を延出し、下端側よりリード線４６を介してセンサ検知部６を実装したセンサ用プリント基板４７が接続されている。４０はセンサ検知部用絶縁板である。難燃シート２７は反射板２とプリント基板２５によるブロックの間に設けられて安全性を図るものであり、突条部３３の垂直壁４１の内側に配置され、ケース３８に収納されたプリント基板２５が難燃シート２７に挿入され、プリント基板２５に実装した調整スイッチ１９のつまみを調整つまみ用開口３７に挿通する。センサ部取付板３９は上端部に折曲片３９ａと孔４４のある当接片４３とを連続して略Ｚ字形に折曲しており、当接片４３を取付片３０の一方に対向し折曲片３９ａを垂直壁４１の上端に係載してセンサ取付板３９の両側を段部４２に係合して、当接片４３を取付片３０に当接し孔３２、４４を整合し、ねじ４８をセンサ部取付板３９、保護ケース３８に貫通して突部３６にねじ込み固定する。このように、センサ制御部１３の取付けはセンサ部取付板３９をねじ４８で止めるのみで、その他は位置が決まるように寸法をとっているだけで構成している。尚、プリント基板２５を反射板２からボスをたてねじ止めすることも有効である。
【００３３】
図１１および図１２に示すように、樹脂成形品の枠３１や反射板２にセンサ検知部６を取付ける構成で、図１２に示すように枠３１より内側へ検知部用開口３４を開け、その上方の突条部３３の外面にセンサ検知部６のプリント基板４７を支持するセンサ支持部３５が突出している。このセンサ支持部３５は略コ字形をなし、一端が他端よりも長く形成され、その内側面にプリント基板４７の縁部を支えるように、プリント基板４７の長手方向に延びた側部の片側および両端部を嵌める溝３５ａを形成している。プリント基板４７を嵌合する場合は、センサ部取付板３９を取付ける前に、図１１（ａ）に示すようにセンサ検知部６を開口３４に合わせるように、プリント基板４７を支持部３５に対して短端部３５ｂ側に傾けて溝３５ａに挿入し、さらに矢印Ａの方向に押すことにより樹脂弾性で長端部３５ｃ側が外側にたわみ図１１（ｂ）に示す状態に入れ込めることができ、弾性的に挟持する。これによって仮止め程度の保持ができ、図１０のセンサ部取付板３９を上記したように取付けることにより固定される。
【００３４】
第７の実施の形態によれば、センサ検知部６と制御部１３を接続するリード線４６の長さを短くでき、ノイズの低減や信号の減衰の低減ができる。また部品点数の削減および省資源が可能となり、制御部１３の取付板３９が近接導体の役割を兼ねるので点灯補助となる。また別部品が不要なため組み立てが容易になる。
【００３５】
【発明の効果】
請求項１記載の照明器具によれば、センサ検知部がコンパクトにかつ目立たなく構成でき、一般器具例えばダウンライトと同じイメージで使用することができ、同寸法の埋込穴で埋設することができ、かつ同じ施工の手間で設置可能となる。
【００３９】
請求項２記載の照明器具によれば、請求項１と同様な効果のほか、センサ検知部と制御部を接続するリード線の長さを短くでき、ノイズの低減や信号の減衰の低減ができ、部品点数の削減および省資源となる。また別部品が不要なため組み立てが容易になる。
【図面の簡単な説明】
【図１】この発明の第１の実施の形態の斜視図である。
【図２】その反射鏡を下方から見た底面図である。
【図３】第２の実施の形態の斜視図である。
【図４】第３の実施の形態の斜視図である。
【図５】第４の実施の形態の斜視図である。
【図６】第５の実施の形態の斜視図である。
【図７】第６の実施の形態を示し、（ａ）は反射板の部分内側面図、（ｂ）はその断面図である。
【図８】反射板の開口を見た斜視図である。
【図９】第７の実施の形態の断面図である。
【図１０】その部分分解斜視図である。
【図１１】センサ検知部のプリント基板の固定を示す平面図である。
【図１２】プリント基板の取付前の部分斜視図である。
【図１３】従来例の斜視図である。
【符号の説明】
１    光源
２    反射板
３    器具本体
５    突出部
６    センサ検知部
７    透光開口
１９    調整スイッチ
【図１】
0003879389.tif 000002
【図２】
0003879389.tif 000003
【図３】
0003879389.tif 000004
【図４】
0003879389.tif 000005
【図５】
0003879389.tif 000006
【図６】
0003879389.tif 000007
【図７】
0003879389.tif 000008
【図８】
0003879389.tif 000009
【図９】
0003879389.tif 000010
【図１０】
0003879389.tif 000011
【図１１】
0003879389.tif 000012
【図１２】
0003879389.tif 000013
【図１３】
0003879389.tif 000014